(57)【要約】【課題】制御装置であるデジタルテレビ放送受信機が電源ＯＦＦの場合や通信に支障をきたした場合でも、被制御装置であるデジタルテレビ放送受信機に対する視聴制限を制御できるテレビジョン受信制御装置を提供する。【解決手段】テレビジョン受信制御装置（２０１＿１）において、親受信装置（２０１ａ）はケーブルテレビ網（１０）から放送データＤＢを受信再生すると共に宅内ネットワークを介して子受信装置２０１ｂと通信を行い、子受信装置（２０１ｂ）はケーブルテレビ網（１０）から放送データＤＢを受信再生すると共に宅内ネットワークを介して親受信装置（２０１ａ）と通信を行い、親受信装置（２０１ａ）との通信が所定の時間（Ｔｐ１）確立されない場合には放送データ（ＤＢ）の受信が停止される。【選択図】図１
2008258890.tif 000002
【特許請求の範囲】
【請求項１】
親受信装置と子受信装置で構成されるテレビジョン受信制御装置であって、
前記親受信装置はケーブルテレビ網と宅内ネットワークとに接続され、当該ケーブルテレビ網を介してケーブルテレビ放送局から送信される放送データを受信再生すると共に、前記宅内ネットワークを介して前記子受信装置と通信を行い、
前記子受信装置は前記ケーブルテレビ網と前記宅内ネットワークに接続され、当該ケーブルテレビ網を介して前記ケーブルテレビ放送局から送信される放送データを受信再生すると共に、前記宅内ネットワークを介して前記親受信装置と通信を行い、前記親受信装置との通信が確立されない場合には前記放送データの受信を停止することを特徴とするテレビジョン受信制御装置。
【請求項２】
前記子受信装置は前記親受信装置との通信が確認されない時点から所定の時間が経過するまでに前記親受信装置との通信が確立されない場合に放送データの受信を停止することを特徴とする請求項１に記載のテレビジョン受信制御装置。
【請求項３】
前記子受信装置は、
前記宅内ネットワークを介して前記親受信装置との通信の確認を行う通信手段と、
経過時間を測定するタイマ手段と、
前記ケーブルテレビ網から前記放送データを受信するチューナ手段と、
前記受信した放送データをデコードして映像表示するデコード手段と、
前記チューナ手段に前記放送データを前記デコード手段に転送させ、前記通信手段が前記親受信装置との通信の確認ができない場合には前記タイマ手段に対し経過時間の測定を開始させると共に通信の確認ができた場合には前記タイマ手段に経過時間の測定を停止させ、前記測定された経過時間が第１の所定時間に到達した場合には前記チューナ手段の機能を停止させる第１の制御手段とを備える請求項２に記載のテレビジョン受信制御装置。
【請求項４】
前記宅内ネットワークはインターネット網に接続されると共に前記子受信装置は、
前記ケーブルテレビ網から前記放送データを受信するチューナ手段と、
前記受信した放送データをデコードして映像表示するデコード手段と、
前記インターネット網に接続されて時刻情報を出力する時刻サーバと、
前記宅内ネットワークを介して親受信装置との通信の確認を行い、前記インターネット網を介して前記時刻情報サーバから出力される時刻情報に基づいて現時刻を取得する通信手段と、
前記チューナ手段に前記放送データを前記デコード手段に転送させ、前記通信手段が前記親受信装置との通信の確認ができない場合には前記通信手段を介して前記時刻情報サーバから前記親受信装置との通信が確認できない時点の時刻を通信切断時刻として前記時刻情報格納手段に格納し、所定の時間毎に前記通信手段を介して前記時刻情報サーバから出力される時刻情報に基づいて現在時刻を取得し、当該現在時刻と前記通信切断時刻との差分が第２の所定時間に到達した場合には前記チューナ手段の機能を停止させる制御部とを備える請求項２に記載のテレビジョン受信制御装置。
【請求項５】
前記宅内ネットワークの通信手段は、ＩＥＥＥ８０２．３に定義されるＬＡＮ、ＩＥＥＥ８０２．１１に定義される無線ＬＡＮ、Ｂｌｕｅｔｏｏｔｈ、赤外線、および特定省電力無線の何れかであることを特徴とする請求項１に記載のテレビジョン受信制御装置。
【請求項６】
前記子受信装置は、当該親受信装置が有するアドレス、機器ＩＤ、当該子受信装置および当該親受信装置と共有するパスワードの何れかに基づいて、前記宅内ネットワークを介して前記親受信装置を認識することを特徴とする請求項１に記載のテレビジョン受信制御装置。
【請求項７】
前記子受信装置が前記親受信装置との通信が確認されない時点から所定の時間が経過するまでに当該親受信装置との通信が確立されない場合に前記放送データの受信を停止した後に、当該親受信装置との通信が確立された場合には、当該子受信装置の当該放送データの受信停止を取り消すことを特徴とする請求項１に記載のテレビジョン受信制御装置。
【請求項８】
前記子受信装置が前記親受信装置との通信が確認されない時点から所定の時間が経過するまでに前記親受信装置との通信が確立されない場合に前記放送データの受信を停止した後に、前記親受信装置との通信が確立された場合には、予め設定されたパスワードが入力されることを条件に当該放送データの受信停止を取り消すことを特徴とする請求項７に記載のテレビジョン受信制御装置。
【請求項９】
前記子受信装置が前記時刻情報サーバから前記現在時刻の取得は当該子受信装置に電源が投入されるタイミングで行われることを特徴とする請求項４に記載のテレビジョン受信制御装置。
【発明の詳細な説明】
【技術分野】
【０００１】
本発明は、テレビジョン放送の受信制限を制御する装置に関する。
【背景技術】
【０００２】
ケーブルテレビの事業者が提供するサービスの一つとして、ケーブルテレビ網を介して利用者にテレビジョン放送を提供することがある。このサービスにおいて、事業者が利用者に必要とする複数台数の受信端末装置を有料で貸与（レンタル）して、利用者に複数台の受信端末でのテレビジョン放送の視聴を可能にする形態がある。
【０００３】
このサービス形態において、複数台数の有料レンタルは利用者にとっては受信端末台数分の料金を課金されるため料金負担が大きい。ケーブルテレビの事業者の中には、複数台数の導入を促すために、２台目以降の受信端末装置のレンタル料金を低く抑える契約体系を設定している場合がある。ちなみに、受信端末装置は、ＣＡＳ（限定受信）システムで保護される受信方式が導入されており、当該事業者による放送サービス地域範囲においては、ケーブルテレビ回線に接続すればＴＶ視聴ができる。
【０００４】
上述のサービス形態において発生しうる問題として、同一利用者により複数台契約された受信端末装置の不正利用がある。例えば、利用者が有料でレンタルした２台の受信端末装置の内の１台を隣人に貸し出し、貸し出した受信端末装置のレンタル料金を隣の家と折半すれば、１加入者あたりのレンタル料金は利用者および隣人のそれぞれが受信端末装置を１台ずつレンタルする場合と比較して低く抑えられる。
【０００５】
ケーブルテレビ事業者としては、上述のような受信端末装置の不正利用を認めておらず、２台目以降の受信端末装置の使用制限、特に契約者宅外での視聴禁止を望んでいる。しかしながら、ケーブルテレビ業者は２台の受信端末装置が同一宅内にあるかを判断できず、不正利用防止対策を講ずることができないという問題が存在する。この問題を解決するべく、Ｂｌｕｅｔｏｏｔｈの様な通信距離の制約が大きい無線接続手段を用いて受信端末装置間の視聴制限を制御する技術（特許文献１）が提案されている。
【０００６】
図８に、上述の無線接続手段を用いて受信端末装置間の視聴制限を制御する受信端末装置の構成を示す。制御装置であるデジタルテレビ放送受信機１０１と、被制御装置であるデジタルテレビ放送受信機１０２において、複数のデジタルテレビ放送受信機１０２の視聴制限をデジタルテレビ放送受信機１０１にて一括制御するためにＢｌｕｅｔｏｏｔｈ等による無線通信手段を備える。これにより、個々のデジタルテレビ放送受信機にて視聴制限等の設定を行なう必要がなくなり操作の簡略化を図ることができるだけでなく、全てのデジタルテレビの視聴情報を一括で管理することができる。
【特許文献１】特開２００４−３１２５０５号公報
【発明の開示】
【発明が解決しようとする課題】
【０００７】
しかしながら、上述のデジタルテレビ放送受信機１０１の電源がＯＦＦになった場合や、電波干渉等により通信に支障をきたした場合に、被制御装置であるデジタルテレビ放送受信機１０２に対する視聴制限の制御が行えなくなるという問題を有する。本発明は、上述の問題点を鑑みて、制御装置であるデジタルテレビ放送受信機が電源ＯＦＦの場合や通信に支障をきたした場合でも、被制御装置であるデジタルテレビ放送受信機に対する視聴制限を制御できるテレビジョン受信制御装置を提供することを目的とする。
【課題を解決するための手段】
【０００８】
上述の目的を達成するために、本発明は、親受信装置と子受信装置で構成されるテレビジョン受信制御装置であって、
前記親受信装置はケーブルテレビ網と宅内ネットワークとに接続され、当該ケーブルテレビ網を介してケーブルテレビ放送局から送信される放送データを受信再生すると共に、前記宅内ネットワークを介して前記子受信装置と通信を行い、
前記子受信装置は前記ケーブルテレビ網と前記宅内ネットワークに接続され、当該ケーブルテレビ網を介して前記ケーブルテレビ放送局から送信される放送データを受信再生すると共に、前記宅内ネットワークを介して前記親受信装置と通信を行い、前記親受信装置との通信が確立されない場合には前記放送データの受信を停止することを特徴とする。
【０００９】
前記子受信装置は前記親受信装置との通信が確認されない時点から所定の時間が経過するまでに前記親受信装置との通信が確立されない場合に放送データの受信を停止することが望ましい。
【００１０】
前記子受信装置は、
前記宅内ネットワークを介して前記親受信装置との通信の確認を行う通信手段と、
経過時間を測定するタイマ手段と、
前記ケーブルテレビ網から前記放送データを受信するチューナ手段と、
前記受信した放送データをデコードして映像表示するデコード手段と、
前記チューナ手段に前記放送データを前記デコード手段に転送させ、前記通信手段が前記親受信装置との通信の確認ができない場合には前記タイマ手段に対し経過時間の測定を開始させると共に通信の確認ができた場合には前記タイマ手段に経過時間の測定を停止させ、前記測定された経過時間が第１の所定時間に到達した場合には前記チューナ手段の機能を停止させる第１の制御手段とを備えることが望ましい。
【００１１】
前記宅内ネットワークはインターネット網に接続されると共に前記子受信装置は、
前記ケーブルテレビ網から前記放送データを受信するチューナ手段と、
前記受信した放送データをデコードして映像表示するデコード手段と、
前記インターネット網に接続されて時刻情報を出力する時刻サーバと、
前記宅内ネットワークを介して親受信装置との通信の確認を行い、前記インターネット網を介して前記時刻情報サーバから出力される時刻情報に基づいて現時刻を取得する通信手段と、
前記チューナ手段に前記放送データを前記デコード手段に転送させ、前記通信手段が前記親受信装置との通信の確認ができない場合には前記通信手段を介して前記時刻情報サーバから前記親受信装置との通信が確認できない時点の時刻を通信切断時刻として前記時刻情報格納手段に格納し、所定の時間毎に前記通信手段を介して前記時刻情報サーバから出力される時刻情報に基づいて現在時刻を取得し、当該現在時刻と前記通信切断時刻との差分が第２の所定時間に到達した場合には前記チューナ手段の機能を停止させる制御部とを備えることが望ましい。
【００１２】
前記宅内ネットワークの通信手段は、ＩＥＥＥ８０２．３に定義されるＬＡＮ、ＩＥＥＥ８０２．１１に定義される無線ＬＡＮ、Ｂｌｕｅｔｏｏｔｈ、赤外線、および特定省電力無線の何れかであることが望ましい。
【００１３】
前記子受信装置は、当該親受信装置が有するアドレス、機器ＩＤ、当該子受信装置および当該親受信装置と共有するパスワードの何れかに基づいて、前記宅内ネットワークを介して前記親受信装置を認識することが望ましい。
【００１４】
前記子受信装置が前記親受信装置との通信が確認されない時点から所定の時間が経過するまでに当該親受信装置との通信が確立されない場合に前記放送データの受信を停止した後に、当該親受信装置との通信が確立された場合には、当該子受信装置の当該放送データの受信停止を取り消すことが望ましい。
【００１５】
前記子受信装置が前記親受信装置との通信が確認されない時点から所定の時間が経過するまでに前記親受信装置との通信が確立されない場合に前記放送データの受信を停止した後に、前記親受信装置との通信が確立された場合には、予め設定されたパスワードが入力されることを条件に当該放送データの受信停止を取り消すことが望ましい。
【００１６】
前記子受信装置が前記時刻情報サーバから前記現在時刻の取得は当該子受信装置に電源が投入されるタイミングで行われることが望ましい。
【発明の効果】
【００１７】
以上のように、本発明のテレビジョン受信制御装置によれば、テレビジョン受信装置がテレビジョン受信制御装置との通信が切断された場合には、一定時間後に視聴機能停止に制御されることにより、テレビジョン受信装置の不正使用を制限できる。
【発明を実施するための最良の形態】
【００１８】
（第１の実施形態）
以下に、図１、図２、および図３を参照して、本発明の第１の実施の形態に係るテレビジョン受信制御装置について説明する。図１に示すように、テレビジョン受信制御装置２０１＿１はケーブルテレビ放送局２０２にケーブルテレビ網１０で接続されている。テレビジョン受信制御装置２０１＿１は、親受信装置２０１ａと子受信装置２０１ｂとを含む。親受信装置２０１ａおよび子受信装置２０１ｂはＬＡＮ２０で互いに接続されており、それぞれ、先述のケーブルテレビのサービス形態における１台目にレンタルされる受信端末装置および２台目以降にレンタルされる受信端末装置に相当する。
【００１９】
親受信装置２０１ａおよび子受信装置２０１ｂは、ケーブルテレビ網１０を介して、ケーブルテレビ放送局２０２と接続されている。そして親受信装置２０１ａおよび子受信装置２０１ｂは、ケーブルテレビ放送局２０２から送信される放送データＤＢを受信して、同放送データＤＢで配信されているコンテンツを再生する。また、親受信装置２０１ａと子受信装置２０１ｂとは、ＬＡＮ（Ｌｏｃａｌ  Ａｒｅａ  Ｎｅｔｗｏｒｋ）２０により構築される宅内ネットワークで相互に接続され、子受信装置２０１ｂが親受信装置２０１ａと接続されている場合に、子受信装置２０１ｂはケーブルテレビ放送局２０２からの放送データの受信および再生機能が有効になる。
【００２０】
次に、図２を参照して、テレビジョン受信制御装置２０１＿１を構成する親受信装置２０１ａおよび子受信装置２０１ｂについて説明する。親受信装置２０１ａは、チューナ３０１、制御部３０２ａ、通信部３０３、およびデコーダ３０４を含む。チューナ３０１は、ケーブルテレビ放送局２０２から受信した放送データを制御部３０２ａに転送する。制御部３０２ａはチューナ３０１からの放送データＤＢをデコーダ３０４に転送する。制御部３０２ａはさらに、通信部３０３を介して子受信装置２０１ｂと通信を行う。
【００２１】
通信部３０３は、ＭＡＣ（Ｍｅｄｉａ  Ａｃｃｅｓｓ  Ｃｏｎｔｒｏｌ）レイヤでのパケット通信行う為にＭＡＣアドレスＡＤを格納し、ＬＡＮ２０を通じて他の機器との通信を行う。デコーダ３０４は制御部３０２ａから入力される放送データＤＢのデコードおよびデコードされた放送データＤＢの映像表示を行う。
【００２２】
子受信装置２０１ｂは、親受信装置２０１ａにおいて、制御部３０２ａａが制御部３０２ａｂに交換されると共に、タイマ３０８およびアドレス格納部３１０が追加されて構成されている。アドレス格納部３１０は、親受信装置２０１ａの通信部３０３のＭＡＣアドレスＡＤを格納している。タイマ３０８は経過時刻の測定を行い、電源が切られている間も内蔵電池から電源供給を受けて動作し、制御部３０２ｂからの制御により経過時間の測定開始および０値へのリセットを行う。
【００２３】
制御部３０２ｂは、制御部３０２ａと同様に、通信部３０３を介して親受信部２０１ａと通信を行う。制御部３０２ｂは、通信の際にアドレス格納部３１０に格納されているＭＡＣアドレスＡＤを有する通信相手と通信しているかの確認を行い、上記ＭＡＣアドレスＡＤを有する通信相手と通信していなければタイマ３０８を起動させる。
【００２４】
制御部３０２ｂは、タイマ３０８の値（以降、「タイマ値Ｔ」）が所定値（以降、「所定タイマ値Ｔｐ１」）に達すると、チューナ３０８を停止させる。制御部３０２ｂは、タイマ３０８の起動中に親受信装置２０１ａとの通信を確認した場合には、タイマ値Ｔを０に戻す（リセットする）。所定タイマ値Ｔｐ１の一例としては、４８時間が考えられる。これは、親受信装置２０１ａが電源ＯＦＦになり子受信装置２０１ｂが通信を確認できない場合でも、親受信装置２０１ａは２日に１回は電源がつけられるであろうという想定に基づくものである。なお、所定タイマ値Ｔｐ１として、４８時間以外の値に適宜設定できることは言うまでもない。
【００２５】
図３を参照して、子受信装置２０１ｂが契約者の家（以降、「契約家４０１」）の隣の家（以降、「隣家４０２」）に持ち出された場合のシステム状態について説明する。同図において点線で示すように、子受信装置２０１ｂは本来ケーブルテレビ放送業者との契約に基づき、契約者の家（以降、「契約家４０１」）に設置されてケーブルテレビ網１０を介してケーブルテレビ放送局２０２と接続される。子受信装置２０１ｂは、さらに、親受信装置２０１ａともＬＡＮ２０で接続される。
【００２６】
子受信装置２０１ｂが非契約家４０２に設置される場合には、子受信装置２０１ｂがケーブルテレビ網１０を介してケーブルテレビ放送局２０２と接続されるのは契約家４０１に設置される場合と同じである。しかしながら、子受信装置２０１ｂは契約家４０１に設置されている親受信装置２０１ａとはＬＡＮ２０で接続されない。つまり、子受信装置２０１ｂは、ＭＡＣアドレスＡＤが格納されている親受信装置２０１ａの通信部３０３にはＬＡＮ２０で接続されない。
【００２７】
図４を参照して、このような、子受信装置２０１ｂを他の家に持ち出された場合の、子受信装置２０１ｂの主に制御部３０２ｂの制御動作について説明する。子受信装置２０１ｂに電源が投入されると、子受信装置２０１ｂは動作を開始する。
【００２８】
まず、ステップＳ５０１において、子受信装置２０１ｂは親受信装置２０１ａとのＬＡＮ２０による通信が切断されているか否かが判断される。切断されていると判断された時点で制御は次のステップＳ５０２に進む。
【００２９】
ステップＳ５０２において、タイマ３０８が起動させられる。つまり、タイマ値Ｔのカウントが開始される。そして、制御はステップＳ５０３に進む。
【００３０】
ステップＳ５０３において、タイマ動作中も、子受信装置２０１ｂの親受信装置との接続が確認される。接続が確認される場合はＹｅｓと判断されて、制御はステップＳ５０４に進む。
【００３１】
ステップＳ５０４において、タイマ３０８がリセット（タイマ値Ｔが０に）される。そして、制御は上述のステップＳ５０１に戻る。
【００３２】
一方、上述のステップＳ５０３において接続が確認されない、つまりＮｏと判断される場合、制御はステップＳ５０５に進む。
【００３３】
ステップＳ５０５において、タイマ値Ｔが所定タイマ値Ｔｐ１に達したか否かが判断される。Ｙｅｓと判断される場合にのみ制御は次のステップＳ５０６に進む。
【００３４】
ステップＳ５０６において、チューナ３０１が停止させられて、ケーブルテレビ視聴機能が停止される。そして、制御が終了する。
【００３５】
上述のように、子受信装置２０１ｂが非契約家４０２に持ち出された場合には、子受信装置２０１ｂと親受信装置２０１ａとの通信確立を監視することで、不正使用されている子受信装置２０１ｂに対して視聴制限をかけることができる。なお、親受信装置２０１ａと子受信装置２０１ｂとが同一の契約家４０１に適正に設置されている場合であっても、親受信装置２０１ａが電源ＯＦＦ等での理由で、子受信装置２０１ｂが親受信装置２０１ａとの通信が確立できないケースが想定される。この場合、子受信装置２０１ｂは正当に使用されているにも関わらず、不当に視聴制限を受けてしまう。
【００３６】
このような事態に対しては、タイマ３０８のタイマ値Ｔが所定タイマ値Ｔｐ１に達するまでの一定期間の間に、子受信装置２０１ｂが親受信装置２０１ａとの通信が確認されれば、子受信装置２０１ｂに対して視聴制限がかかることなくケーブルテレビ放送の視聴を可能にしている。具体的には、本実施の形態においては所定タイマ値Ｔｐ１を４８時間に設定しており、親受信装置２０１ａの電源が４８時間以内にＯＮにされることによって、ユーザは正当に使用している子受信装置２０１ｂに不当な視聴制限を受けることなくケーブルテレビ放送を視聴できる。このように、所定タイマ値Ｔｐ１をユーザの使用状態に応じて適切に設定することによって、正当なユーザに対する不当な視聴制限を押さえることができる。
【００３７】
（第２の実施の形態）
以下に、図５、図６、および図７を参照して詳述する前に、本発明の第２の実施の形態にかかるテレビジョン受信制御装置の固有の特徴について、上述の実施の形態１にかかるテレビジョン受信制御装置と比較して説明する。第１の実施の形態にかかるテレビジョン受信制御装置２０１＿１は、電源ＯＦＦ時に経過時刻の測定を行うタイマを有していることが前提に構成されている。しかしながら、近年のテレビジョン受信装置には電源ＯＦＦ時に経過時刻の測定を行うタイマを有していない機種が存在し、タイマを用いた視聴制限を行うテレビジョン受信制御装置２０１＿１は実現できない。そこで、このようなタイマを有しないテレビジョン受信装置を用いても親受信装置２０１ａとの非接続時間の経過に基づく視聴制限を行えるテレビジョン受信制御装置を本発明の第２の実施の形態として以下に提案する。
【００３８】
図５に示すように、本発明の第２の実施の形態におけるテレビジョン受信制御装置２０１＿２は、上述のテレビジョン受信制御装置２０１＿１において、テレビジョン受信制御装置２０１Ｂがテレビジョン受信制御装置２０１ｃに置き換えられている。さらに、親受信装置２０１ａとテレビジョン受信制御装置２０１ｃは、ＬＡＮ２０によってモデム６０２によって、インターネット網３０を介して時刻サーバ６０３に接続されている。
【００３９】
テレビジョン受信制御装置２０１ｃは、親受信装置２０１ａに接続されている場合に、ケーブルテレビ放送局２０２からの放送データＤＢの受信および再生機能が有効になる。さらに親受信装置２０１ａおよび子受信装置２０１ｃはモデム６０２およびインターネット網を介して時刻サーバ６０３から時刻情報Ｉｔを取得する。
【００４０】
次に、図６を参照して、テレビジョン受信制御装置２０１＿２のテレビジョン受信制御装置２０１ｃについて説明する。なお、親受信装置２０１ａについては既に述べたとおりであるので説明を割愛する。子受信装置２０１ｃは、上述の子受信装置２０１ｂにおいて、制御部３０２ｂ、通信部３０３、およびタイマ３０８がそれぞれ制御部３０２ｃ、通信部３０３ｃおよび時刻情報格納部７０８に置き換えられている。
【００４１】
通信部３０３ｃは、上述の通信部３０３による動作に加えて、モデム６０２とのＭＡＣレイヤでのパケット通信を行う。制御部３０２ｃは、通信部３０３ｃを介しての親受信部２０１ａとの通信時に、通信相手がアドレス格納部３１０に格納されているＭＡＣアドレスＡＤを有するか否かを確認する。当該ＭＡＣアドレスＡＤを有する通信相手と通信していなければ、制御部３０２ｃはモデム６０２を介して時刻サーバ６０３と通信を行い、親受信装置２０１ａと通信が切断された時刻の情報を取得する。
【００４２】
制御部３０２ｃは、取得された時刻の情報に基づいて、親受信装置２０１ａとの通信が切断された通信切断時刻Ｔｂを時刻情報格納部７０１に格納する。さらに、制御部３０２ｃは定期的に時刻サーバ６０３から現在時刻Ｔｃを取得する。そして、現在時刻Ｔｃと時刻情報格納部７０１に格納されている通信切断時刻Ｔｂの時間差（△Ｔ＝Ｔｃ−Ｔｂ）が所定の値（以降、「所定切断時間Ｔｐ２」）に達する（△Ｔ≧Ｔｐ２）と、制御部３０２ｃはチューナ３０１を停止させる。
【００４３】
制御部３０２ｃは、現在時刻Ｔｃの取得中に親受信装置２０１ａとの通信を確認した場合には時刻情報格納部７０１に格納してある通信切断時刻Ｔｂを破棄する。時刻情報格納部７０１は、制御部３０２ｃから入力される通信切断時刻Ｔｂを格納する。
【００４４】
次に、図７を参照して、子受信装置２０１ｃが非契約家４０２に持ち出された場合の、子受信装置２０１ｃの主に制御部３０２ｃに固有の制御動作について重点的に説明する。図７に示すフローチャートは、図７に示したフローチャートにおいて、ステップＳ５０２がステップＳ８０２に交換され、ステップＳ５０５がステップＳ８０５およびＳ８０６に交換され、ステップＳ５０４がステップＳ８０４に交換されている。
【００４５】
子受信装置２０１ｃに電源が投入されて動作が開始すると、まず、ステップＳ５０１でテレビジョン受信制御装置２０１ｃと親受信装置２０１ａとの接続が切断されているかが確認される。切断されていると判断される場合、制御はステップＳ８０２に進む。
【００４６】
ステップＳ８０２において、親受信装置２０１ａとの通信が切断された通信切断時刻Ｔｂが時刻情報サーバ６０３から取得される。そして、ステップＳ５０３において、子受信装置２０１ｃと親受信装置との接続が確立されているか否かが判断される。接続確立が確認された場合には、制御はステップＳ８０４に進む。
【００４７】
ステップＳ８０４において、通信切断時刻Ｔｂが破棄される。そして、制御は上述のステップＳ５０１に戻る。一方、ステップＳ５０３において、接続が確認されない場合には、制御はステップＳ８０５に進む。
【００４８】
ステップＳ８０５において、時刻情報サーバ６０３から現在時刻Ｔｃが取得される。そして、制御は次のステップＳ８０６に進む。
【００４９】
ステップＳ８０６において、現在時刻Ｔｃと通信切断時刻Ｔｂの差分△Ｔ（Ｔｂ―Ｔｃ）が所定Ｔｐ２の値に到達したか否かが判断される。差分△Ｔが所定の値Ｔｐ２に達していない場合には、制御は上述のステップＳ５０３に戻り、引き続き親受信装置２０１ａとの通信接続監視が行われる。一方、差分△Ｔが所定の値Ｔｐ２に達している場合には、ステップＳ５０６において、制御部３０２ｃはチューナ３０１を停止させてケーブルテレビ視聴機能を停止させる。そして、制御が終了する。
【００５０】
上述のように、子受信装置２０１ｂと異なりタイマ３０８を有しない子受信装置２０１ｃでも、同様に親受信装置２０１ａが電源ＯＦＦになった場合でも、子受信装置２０１ｂと同様に一定期間（Ｔｐ２）は子受信装置２０１ｃでも視聴できる。さらに、子受信装置２０１ｃが宅外等に持ち出された場合には、一定時間（Ｔｐ２）の経過後には視聴機能停止による不正防止を実現できる。
【００５１】
本実施の形態においては、子受信装置２０１ｃは親受信装置２０１ａとの通信が切断された時点（Ｓ５０３でＮｏ）から繰り返し時刻情報サーバ６０３から現在時刻Ｔｃを取得されている。しかしながら、現在時刻Ｔｃは、例えば子受信装置２０１ｃが電源ＯＮされるタイミングで時刻情報サーバ６０３から取得しても良い。
【００５２】
子受信装置２０１ｂあるいは子受信装置２０１ｃが親受信装置２０１ａと通信を行う手段としては、ＩＥＥＥ８０２．１１で定義される無線ＬＡＮや、Ｂｌｕｅｔｏｏｔｈや赤外線や特定省電力無線といった無線でも良い。また、有線の場合でもＩＥＥＥ８０２．３で定義されるＬＡＮに限られるものではない。
【００５３】
子受信装置２０１ｂあるいは子受信装置２０１ｃが親受信装置２０１ａを確認する手段は、親受信装置２０１ａのＭＡＣアドレスＡＤに限られるものではない。例えば、ＩＰアドレス、機器ＩＤおよびパスワード等に代表される親受信装置２０１ａを個別に識別できる情報を用いることができる。
【００５４】
子受信装置２０１ｂあるいは子受信装置２０１ｃが親受信装置２０１ａと接続される放送網は、ケーブルテレビ網１０に限られるものではない。例えば、電波放送で放送データＤＢを提供する地上/衛星電波網や、インターネットで放送データＤＢを提供するインターネット網を用いることができる。
【００５５】
子受信装置２０１ｂあるいは子受信装置２０１ｃが、親受信装置２０１ａとの通信が確認できずに所定の時間（Ｔｐ１あるいはＴｐ２）が経過してケーブルテレビ放送の受信機能が停止された状態になった後に、親受信装置２０１ａとの通信が確立された場合には、利用者にパスワードを入力させることで受信機能を起動させてもよい。さらに、ケーブルテレビ放送の受信機能を起動させずに「ケーブルテレビ放送局のサービスマンを呼んでください」の旨を通知するメッセージを表示しても良い。
【産業上の利用可能性】
【００５６】
本発明はケーブルテレビ放送のみならず電波放送を用いたテレビジョン放送やインターネット網を用いたテレビジョン放送の受信制御に適用できる。
【図面の簡単な説明】
【００５７】
【図１】本発明の第１の実施の形態にかかるテレビジョン受信制御装置をケーブルテレビ放送に適応した場合のシステム構成図
【図２】図１に示したテレビジョン受信制御装置の構成を表すブロック図
【図３】図１に示したテレビジョン受信制御装置の子受信装置が非契約家に持ち出された場合のケーブルテレビ放送局とのシステム構成図
【図４】図１に示した子受信装置の不正利用監視処理の動作を表すフローチャート
【図５】本発明の第２の実施の形態にかかるテレビジョン受信制御装置をケーブルテレビ放送に適応した場合のシステム構成図
【図６】図５に示したテレビジョン受信制御装置の構成を示すブロック図
【図７】図５に示した子受信装置の不正利用監視処理の動作を表すフローチャート
【図８】従来のデジタルテレビ放送受信装置の構成を示すブロック図
【符号の説明】
【００５８】
１０  ケーブルテレビ網
２０  ＬＡＮ
２０１＿１、２０１＿２    テレビジョン受信制御装置
２０１ａ  親受信制御装置
２０１ｂ、２０１ｃ  子受信制御装置
２０２    ケーブルテレビ放送局
３０１    チューナ
３０２ａ、３０２ｂ、３０２ｃ    制御部
３０３、３０３ｃ    通信部
３０４    デコーダ
３０８    タイマ
３１０    アドレス格納部
４０１    契約家
４０２    非契約家
６０２    モデム
６０３    時刻サーバ
７０８    時刻情報格納部
【図１】
2008258890.tif 000003
【図２】
2008258890.tif 000004
【図３】
2008258890.tif 000005
【図４】
2008258890.tif 000006
【図５】
2008258890.tif 000007
【図６】
2008258890.tif 000008
【図７】
2008258890.tif 000009
【図８】
2008258890.tif 000010